(57)【要約】【課題】  入力ｃｈ１ｃｈ分のパラメータの保存と呼出を可能とする場合において、保存時と呼出時でミキシングバスのタイプが異なる場合でも、入力ｃｈからミキシングバスへの信号送出に関するパラメータの値を、適切に呼び出せるようにする。【解決手段】  ユーザの保存操作に応じて、カレントメモリに記憶された１の入力チャンネルのパラメータを、その時点の各ミキシングバスのバスタイプとともに、１つのプリセットとしてライブラリに保存すると共に、ユーザの呼出操作に応じて、保存しておいた１つのプリセットのパラメータをカレントメモリに呼び出す際、保存しておいたバスタイプと、呼出時のバスタイプとが一致しない部分については（Ｓ２４，Ｓ２５）、プリセットのパラメータを呼出時のバスタイプに応じたパラメータに変換して呼び出すようにした（Ｓ２７）。【選択図】        図９
2011024114.tif 000002
【特許請求の範囲】
【請求項１】
各々複数の入力チャンネルから供給される音響信号を混合する２本のミキシングバスと、
前記２本のミキシングバスのバスタイプとして、モノラル又はステレオを指定する指定手段と、
前記指定手段が指定したバスタイプに応じたパラメータを、入力チャンネルの数分記憶するカレントメモリと、
ユーザの変更操作に応じて前記カレントメモリに記憶されたパラメータの値を変更する変更手段と、
前記複数の入力チャンネルの各々に対応し、それぞれ前記指定手段が指定したバスタイプと前記カレントメモリに記憶された対応する入力チャンネルのパラメータとに基づいて、対応する入力チャンネルに入力した音響信号の音量を制御して前記２本の混合バスに供給する複数のレベル調整部と、
複数のプリセットを記憶するライブラリと、
ユーザの保存操作に応じて、前記カレントメモリに記憶された１の入力チャンネルのパラメータを、前記指定手段が指定したバスタイプとともに、１つのプリセットとして前記ライブラリに保存する保存手段と、
ユーザの呼出操作に応じて、前記ライブラリに保存されている１つのプリセットのパラメータを、該１つのプリセットのバスタイプと前記指定手段が指定しているバスタイプとが一致する場合にはそのまま、一致しない場合には前記指定手段が指定したバスタイプに応じたパラメータに変換して、ユーザの操作に従って指定した１つの入力チャンネルのパラメータとして前記カレントメモリに呼び出す呼出手段とを備えたことを特徴とするデジタルミキサ。
【請求項２】
請求項１に記載のデジタルミキサであって、
前記カレントメモリは、前記指定手段がバスタイプとしてモノラルを指定したとき、前記２本の混合バスの各々に対応した２つのレベルパラメータを、前記入力チャンネルの数分記憶し、前記指定手段がバスタイプとしてステレオを指定したとき、前記２本の混合バスの組に対応した１つのレベルパラメータと１つのパンパラメータを、前記入力チャンネルの数分記憶することを特徴とするデジタルミキサ。
【請求項３】
請求項２に記載のデジタルミキサであって、
前記呼出手段は、前記１つのプリセットのバスタイプがステレオで、前記指定手段が指定しているバスタイプがモノラルのとき、前記２本の混合バスの組に対応したレベルパラメータに、前記２本の混合バスの組に対応したパンパラメータの値に応じたＬ用及びＲ用の調整値を加算又は乗算することにより、前記２本の混合バスの各々に対応した２つのレベルパラメータを求めることを特徴とするデジタルミキサ。
【請求項４】
請求項２に記載のデジタルミキサであって、
前記呼出手段は、前記１つのプリセットのバスタイプがモノラルで、前記指定手段が指定しているバスタイプがステレオのとき、前記１のプリセット中の、前記２本の混合バスの各々に対応した２つのレベルパラメータの差又は比に基づいて前記２本の混合バスの組に対応した１つのパンパラメータの値を求め、前記２本の混合バスの各々に対応した２つのレベルパラメータの値の少なくとも一方と、求めた１つのパンパラメータの値とに基づいて、前記２本の混合バスの組に対応した１つのレベルパラメータの値を求めることを特徴とするデジタルミキサ。
【発明の詳細な説明】
【技術分野】
【０００１】
この発明は、各々複数の入力チャンネル（ｃｈ）から供給される音響信号を混合するミキシングバスを備え、そのミキシングバスのペアについて、モノラルとステレオのタイプを設定可能なデジタルミキサに関する。
【背景技術】
【０００２】
従来から、各々複数の入力ｃｈから供給される音響信号を混合するミキシングバスを備え、そのミキシングバスのペアについて、モノラルとステレオのタイプを設定可能なデジタルミキサとして、例えば非特許文献１，２及び特許文献１に記載のデジタルミキサが知られている。
【０００３】
そして、これらのデジタルミキサでは、ミキシングバス２本からなる組毎に、それらのミキシングバスを独立したモノラルバスとして機能させるか、ペアのステレオバスとして機能させるかをユーザが選択して設定することができる。この設定は、特許文献１に記載のデジタルミキサでは、その図３にあるような画面により択一的に行うことができるし、非特許文献１及び２に記載のデジタルミキサでは、バスのペアリング有無という形で行うことができる。
【０００４】
また、これとは別に、非特許文献１及び２に記載のデジタルミキサは、ミキシング処理に使用するパラメータ全体を複数保存しておくシーンメモリの他に、入力ｃｈ１ｃｈ分の信号処理に使用するパラメータの値のセットをプリセットとして複数記憶しておき、任意のプリセットを呼び出して任意の入力ｃｈのパラメータの値として設定するｃｈライブラリ機能も備えている。
【先行技術文献】
【非特許文献】
【０００５】
【非特許文献１】「ＣＳ１Ｄ  ＣＯＮＴＲＯＬ  ＳＵＲＦＡＣＥ  取扱説明書」，ヤマハ株式会社，２００２年（特にその操作マニュアル（基本操作編）ｐ．３９−４３，６５−６７及びリファレンスマニュアル（ソフトウェア編）ｐ．１８６，１８７）
【非特許文献２】「ＰＭ５Ｄ  ＤＩＧＩＴＡＬ  ＭＩＸＩＮＧ  ＣＯＮＳＯＬＥ  取扱説明書」，ヤマハ株式会社，２００４年（特にそのｐ．４０−４５，２４５，２６８−２７３，２８３）
【特許文献】
【０００６】
【特許文献１】特開２００７−５３６３１号公報
【発明の概要】
【発明が解決しようとする課題】
【０００７】
ところで、ミキシングバスのタイプの設定を可能にする場合、タイプがモノラルかステレオかによって、入力ｃｈからバスに信号を送出する経路における信号処理に用いるパラメータの種類が異なることになる。
例えば、２本のミキシングバスをそれぞれ独立したモノラルバスとして動作させる場合、各バスと対応する２つずつのセンドレベル及びセンドオンのパラメータが含まれ、ペアのステレオバスとして機能させる場合には、２本のバスに共通の１つずつのセンドレベル、センドオン及びパンのパラメータが含まれる等である。
【０００８】
従って、例えばパラメータの保存時と呼出時でミキシングバスのタイプが異なる場合、保存したプリセットの内容をそのまま呼び出したのでは、呼出時のタイプの設定に従った信号処理を実行するために必要なパラメータが得られないという問題があった。
このような問題に対処するため、例えば非特許文献１に記載のデジタルミキサでは、プリセットの内容（保存時）と、呼出時とで、ミキシングバスのモノラル／ステレオ（ペア）の設定が異なる場合には、設定が異なる範囲のバスに対する信号送出に関するパラメータの値を呼び出さないようにすることが行われている。
しかし、このような対応では、保存時と呼出時で設定が異なる部分については、プリセットを呼び出したとしてもその内容を全く反映させることができないという問題があった。
【０００９】
この発明は、このような問題を解決し、ミキシングバスのペアについて、モノラルとステレオのタイプを設定可能なデジタルミキサにおいて、入力ｃｈ１ｃｈ分のパラメータの保存と呼出を可能とする場合において、保存時と呼出時でミキシングバスのタイプが異なる場合でも、入力ｃｈからミキシングバスへの信号送出に関するパラメータの値を、適切に呼び出せるようにすることを目的とする。
【課題を解決するための手段】
【００１０】
上記の目的を達成するため、この発明のデジタルミキサは、各々複数の入力チャンネルから供給される音響信号を混合する２本のミキシングバスと、上記２本のミキシングバスのバスタイプとして、モノラル又はステレオを指定する指定手段と、上記指定手段が指定したバスタイプに応じたパラメータを、入力チャンネルの数分記憶するカレントメモリと、ユーザの変更操作に応じて上記カレントメモリに記憶されたパラメータの値を変更する変更手段と、上記複数の入力チャンネルの各々に対応し、それぞれ上記指定手段が指定したバスタイプと上記カレントメモリに記憶された対応する入力チャンネルのパラメータとに基づいて、対応する入力チャンネルに入力した音響信号の音量を制御して上記２本の混合バスに供給する複数のレベル調整部と、複数のプリセットを記憶するライブラリと、ユーザの保存操作に応じて、上記カレントメモリに記憶された１の入力チャンネルのパラメータを、上記指定手段が指定したバスタイプとともに、１つのプリセットとして上記ライブラリに保存する保存手段と、ユーザの呼出操作に応じて、上記ライブラリに保存されている１つのプリセットのパラメータを、その１つのプリセットのバスタイプと上記指定手段が指定しているバスタイプとが一致する場合にはそのまま、一致しない場合には上記指定手段が指定したバスタイプに応じたパラメータに変換して、ユーザの操作に従って指定した１つの入力チャンネルのパラメータとして上記カレントメモリに呼び出す呼出手段とを設けたものである。
【００１１】
このようなデジタルミキサにおいて、上記カレントメモリが、上記指定手段がバスタイプとしてモノラルを指定したとき、上記２本の混合バスの各々に対応した２つのレベルパラメータを、上記入力チャンネルの数分記憶し、上記指定手段がバスタイプとしてステレオを指定したとき、上記２本の混合バスの組に対応した１つのレベルパラメータと１つのパンパラメータを、上記入力チャンネルの数分記憶するようにするとよい。
【００１２】
さらに、上記呼出手段が、上記１つのプリセットのバスタイプがステレオで、上記指定手段が指定しているバスタイプがモノラルのとき、上記２本の混合バスの組に対応したレベルパラメータに、上記２本の混合バスの組に対応したパンパラメータの値に応じたＬ用及びＲ用の調整値を加算又は乗算することにより、上記２本の混合バスの各々に対応した２つのレベルパラメータを求めるようにするとよい。
【００１３】
あるいは、上記呼出手段が、上記１つのプリセットのバスタイプがモノラルで、上記指定手段が指定しているバスタイプがステレオのとき、上記１のプリセット中の、上記２本の混合バスの各々に対応した２つのレベルパラメータの差又は比に基づいて上記２本の混合バスの組に対応した１つのパンパラメータの値を求め、上記２本の混合バスの各々に対応した２つのレベルパラメータの値の少なくとも一方と、求めた１つのパンパラメータの値とに基づいて、上記２本の混合バスの組に対応した１つのレベルパラメータの値を求めるようにするとよい。
【発明の効果】
【００１４】
以上のようなこの発明のデジタルミキサによれば、ミキシングバスのペアについて、モノラルとステレオのタイプを設定可能とし、かつ、入力ｃｈ１ｃｈ分のパラメータの保存と呼出を可能とする場合において、保存時と呼出時でミキシングバスのタイプが異なる場合でも、入力ｃｈからミキシングバスへの信号送出に関するパラメータの値を、適切に呼び出せるようにすることができる。
【図面の簡単な説明】
【００１５】
【図１】この発明の実施形態であるデジタルミキサのハードウェア構成を示す図である。
【図２】図１に示したＤＳＰで実行される信号処理の構成をより詳細に示す図である。
【図３】同じくＤＳＰにおける信号処理のうち、各入力ｃｈからＳＴバス及びＭＩＸバスへの信号の入力に関する部分の構成を示す図である。
【図４】図１に示したデジタルミキサに表示させるＭＩＸバス設定画面の例を示す図である。
【図５】同じく送出設定画面の例を示す図である。
【００１６】
【図６】図１に示したデジタルミキサのカレントメモリに記憶させるデータの構成を示す図である。
【図７】同じくプリセットライブラリに記憶させるデータの構成を示す図である。
【図８】図１に示したデジタルミキサのＣＰＵがプリセットの保存指示があった場合に実行する処理のフローチャートである。
【図９】同じくプリセットの呼出指示があった場合の処理のフローチャートである。
【図１０】パラメータの変換に使用する、デシベル換算した調整値とパンのパラメータ値との関係を示すグラフである。
【図１１】同じく２本のバスの各々と対応するセンドレベルの比と、パンのパラメータ値との関係を示すグラフである。
【図１２】図１０と対応する、リニア表記の調整値とパンのパラメータ値との関係を示すグラフである。
【発明を実施するための形態】
【００１７】
以下、この発明を実施するための形態を図面に基づいて具体的に説明する。
まず、この発明の実施形態であるデジタルミキサの構成について説明する。図１は、そのデジタルミキサの構成を示すブロック図である。
図１に示す通り、このデジタルミキサ１０は、ＣＰＵ１１，フラッシュメモリ１２，ＲＡＭ１３，外部機器入出力部（Ｉ／Ｏ）１４，表示器１５，操作子１６，波形Ｉ／Ｏ１７，信号処理部（ＤＳＰ）１８を備え、これらがシステムバス１９によって接続されている。そして、複数の入力チャンネル（ｃｈ）から入力する音響信号に対して種々の信号処理を施して複数の出力ｃｈから出力する機能を有する。
【００１８】
そして、ＣＰＵ１１は、このデジタルミキサ１０の動作を統括制御する制御手段であり、フラッシュメモリ１２に記憶された所要のプログラムを実行することにより、外部機器Ｉ／Ｏ１４及び波形Ｉ／Ｏ１７におけるデータ及び信号の入出力や表示器１５における表示を制御したり、操作子１６の操作を検出してその操作に従ってパラメータの値の設定／変更や各部の動作を制御したりといった処理を行う。
フラッシュメモリ１２は、ＣＰＵ１１が実行する制御プログラム等を記憶する書き換え可能な不揮発性記憶手段である。
ＲＡＭ１３は、一時的に記憶すべきデータを記憶したり、ＣＰＵ１１のワークメモリとして使用したりする記憶手段である。
【００１９】
外部機器Ｉ／Ｏ１４は、種々の外部機器を接続し入出力を行うためのインタフェースであり、例えば外部のディスプレイ、マウス、文字入力用のキーボード、操作パネル等を接続するためのインタフェースが用意される。そして、本体の表示器１５や操作子１６をごく単純な構成にしたとしても、これらの外部機器を活用することによりパラメータの設定／変更や動作指示を行うことができるようにすることも考えられる。
【００２０】
表示器１５は、ＣＰＵ１１による制御に従って種々の情報を表示する表示手段であり、例えば液晶パネル（ＬＣＤ）や発光ダイオード（ＬＥＤ）によって構成することができる。ここで説明する例では、デジタルミキサ１０は、表示器１５として少なくともパラメータの値の参照や設定の受付を行うためのグラフィカル・ユーザ・インタフェース（ＧＵＩ）を表示できるサイズのＬＣＤを備える。
【００２１】
操作子１６は、デジタルミキサ１０に対する操作を受け付けるためのものであり、種々のキー、ボタン、ロータリーエンコーダ、スライダ等によって構成することができる。ここでは、表示器１５であるＬＣＤに積層したタッチパネルも用いている。
【００２２】
波形Ｉ／Ｏ１７は、ＤＳＰ１８で処理すべき音響信号の入力を受け付け、また処理後の音響信号を出力するためのインタフェースである。そして、この波形Ｉ／Ｏ１７には、１枚で４チャンネル（ｃｈ）のアナログ入力が可能なＡ／Ｄ変換ボード，１枚で４ｃｈのアナログ出力が可能なＤ／Ａ変換ボード，１枚で８ｃｈのデジタル入出力が可能なデジタル入出力ボードを適宜組み合わせて複数枚装着可能であり、実際にはこれらのボードを介して信号の入出力を行う。
【００２３】
ＤＳＰ１８は、信号処理回路を含み、波形Ｉ／Ｏ１７から入力する音響信号に対し、カレントデータとして設定されている各種処理パラメータに従って、ミキシング、イコライジング等の各種信号処理を施して波形Ｉ／Ｏ１７に出力する信号処理部である。この処理に用いるパラメータを含むカレントデータは、ＲＡＭ１３上あるいはＤＳＰ１８自身に備えるメモリ上に設けられたカレントメモリに記憶されており、ユーザは、表示器１５と操作子１６とを用いて、そのデータの値を確認したり、変更したりすることができる。
【００２４】
次に、図２に、図１に示したＤＳＰ１８で実行される信号処理の構成をより詳細に示す。
この図に示すように、ＤＳＰ１８での信号処理は、入力パッチ３３，入力ｃｈ４０，ステレオ（ＳＴ）バス６０，ミキシング（ＭＩＸ）バス７０，ＳＴ出力ｃｈ８１，ＭＩＸ出力ｃｈ８２，出力パッチ３４を有する。
【００２５】
そして、ＤＳＰ１８においては、２４ｃｈある入力ｃｈ４０にそれぞれ、波形Ｉ／Ｏ１７に入力端子と対応するように用意されたアナログ入力ポート３１及びデジタル入力ポート３２のいずれかをパッチ（結線）し、各入力ｃｈでは、パッチされたポートから入力する信号の振幅や周波数の特性を、アッテネータ，イコライザ等により調整した後、ＳＴバス６０及び１２系統のＭＩＸバス７０のうちの任意のバスに対して処理後の信号を送出する。
【００２６】
また、ＳＴバス６０及び各ＭＩＸバス７０では、各入力ｃｈ４０から入力する信号をミキシングし、メインバスであるＳＴバス６０においてミキシングされた信号はＳＴ出力ｃｈ８１に、ＭＩＸバス７０においてミキシングされた信号はその各系統に対応して設けられる１２ｃｈのＭＩＸ出力ｃｈ８２に出力する。そして、各出力ｃｈ８１，８２では、対応するバスから入力する信号の特性を、イコライザ、コンプレッサ等により調整し、その処理後の信号を、出力パッチ３４により波形Ｉ／Ｏ１７に出力端子と対応するように用意されたアナログ出力ポート３５及びデジタル出力ポート３６にパッチし、パッチ先の出力ポートから出力する。
なお、ＤＳＰ１８に設けるこれらの各部による信号処理の内容は、カレントメモリに記憶されている各部に対応したパラメータの値を設定することにより制御可能であり、また、各部の機能は、ソフトウェアによって実現してもハードウェアによって実現してもよい。
【００２７】
次に、図３に、ＤＳＰ１８における信号処理のうち、各入力ｃｈからＳＴバス及びＭＩＸバスへの信号の入力に関する部分の構成を示す。
図３に示す通り、各入力ｃｈ４０には、アッテネータ４１，イコライザ４２，コンプレッサ４３，ｃｈフェーダ４４，オンスイッチ４５を設けている。また、その先の、ＳＴバス６０に信号を入力する経路にはＴＯ＿ＳＴ（トゥーステレオ）スイッチ４６及びパン４７を設けている。
【００２８】
そして、このような入力ｃｈ４０に入力した信号は、アッテネータ４１において、アッテネータパラメータに基づき信号処理に適したレベルに調整され、イコライザ４２において、イコライザパラメータに基づきその周波数特性が調整され、コンプレッサ４３において、コンプレッサパラメータに基づきその振幅が動的な変化特性に基づき調整され、ｃｈフェーダ４４において、フェーダパラメータに基づきＳＴバスでのミキシングに適したレベルに調整される。ｃｈフェーダ４４から出力される信号は、オンスイッチ４５及びＴＯ＿ＳＴスイッチ４６を、それぞれ、対応するオンパラメータがオンであれば通過し、パン４７において、ステレオパンパラメータに基づきＬ用とＲ用に個別にレベル調整され、それぞれＬとＲのＳＴバス６０に入力される。
【００２９】
また、各ＭＩＸバス７０に信号を入力する経路には、バス２本からなるグループ毎に、そのバスのタイプに応じた送出部を設けている。
具体的には、モノラルが設定されているバスについては、２本のバスのそれぞれに対応する、プリ／ポスト（ＰＲＥ／ＰＯＳＴ）スイッチ５１ａ，５１ｂ、センドレベルフェーダ５２ａ，５２ｂ、およびセンドオンスイッチ５３ａ，５３ｂを含む送出部を設けている。図３では、１，２番目のＭＩＸバスがこのモノラルの状態である。
【００３０】
そして、該送出部では、送出先のバス毎に、ＰＲＥ／ＰＯＳＴスイッチ５１ａ、５１ｂにおいて、入力チャンネルの経路のうちのプリパラメータ（PRE1，PRE2）に応じた位置（プリならｃｈフェーダ４４の前、ポストならオンスイッチ４５の後）の信号が選択され、該選択された信号は、センドレベルフェーダ５２ａ、５２ｂにおいて、センドレベルパラメータ（SL1，SL2）に基づき当該バスでのミキシングに適したレベルに調整され、センドオンスイッチ５３ａ、５３ｂを、対応するオンパラメータ（ON1，ON2）がオンであれば通過し、送出先のバスに入力される。
【００３１】
また、ステレオが設定されているバスについては、２本のバスに共通の、プリ／ポスト（ＰＲＥ／ＰＯＳＴ）スイッチ５４、センドレベルフェーダ５５、センドオンスイッチ５６、およびパン５７を含む送出部を設けている。図３では、３，４番目のＭＩＸバスがこのステレオの状態である。
【００３２】
そして、該送出部では、ＰＲＥ／ＰＯＳＴスイッチ５４において、入力チャンネルの経路のうちのプリパラメータ（PRES）に応じた位置の信号が選択され、該選択された信号は、センドレベルフェーダ５５において、センドレベルパラメータ（SLS）に基づきレベル調整され、センドオンスイッチ５６を、対応するオンパラメータ（ONS）がオンであれば通過し、パン５７において、パンパラメータ（PAN）に基づきＬ用とＲ用に個別にレベル制御され、グループ内の２本のバスに入力される。ここでは、２本のバスのうち、番号の小さいバスをＬ用とし、大きいバスをＲ用としている。
【００３３】
なお、図３には、１つの入力ｃｈ４０の構成のみを詳細に示したが、他の２３の入力ｃｈも同様な構成を有し、ＳＴバス６０及び各ＭＩＸバス７０では、それら２４の入力ｃｈから入力する信号を混合することができる。
ここで、各グループのバスのタイプは、ユーザが任意に設定可能であり、その設定内容に従って、指定手段として機能するＣＰＵ１１が指定するものである。
【００３４】
図４に、バスのタイプの設定を受け付けるためのＭＩＸバス設定画面の例を示す。
この図に示すＭＩＸバス設定画面１００は、デジタルミキサ１０の操作パネルに設けたタッチスクリーンにユーザの操作に応じて表示させるＧＵＩであり、ＭＩＸバスの各グループ毎に、そのグループのバスについて設定されているタイプを表示すると共に、タイプの設定操作を受け付けるためのバスペア設定部１１０を有する。
【００３５】
そして、このバスペア設定部１１０に設けたステレオボタン１１１及びモノラルボタン１１２により、ステレオ及びモノラルについての表示及び設定操作受け付けを行う。
なお、バスのタイプは、「送出先のバスについて」設定するものであり、入力ｃｈ毎に設定するものではない。そして、バスのタイプが変更された場合には、これに応じて、全ての入力ｃｈにおいて、そのグループのＭＩＸバスに対する信号送出経路の構成が変更されることになる。
【００３６】
また、この変更がなされた場合、その箇所と対応するパラメータには、所定の初期値が設定される。具体的には、プリパラメータ（PRE1，PRE2，PRES）の初期値は「ポスト」であり、センドレベルパラメータ（SL1，SL2，SLS）の初期値は「−∞ｄＢ（ゼロレベル）」であり、オンパラメータ（ON1，ON2，ONS）の初期値は「オン」であり、パンパラメータ（PAN）の初期値は「±０（センター）」である。しかし、後述のプリセット呼び出しの場合と同様に、変更前の各パラメータの値を、変更後のタイプに応じたパラメータの値に変換するようにしてもよい。
【００３７】
次に、図５に、入力ｃｈに関するパラメータのうち、ＭＩＸバスへの信号送出に関するパラメータの設定を受け付けるための送出設定画面の表示例を示す。
この図に示す送出設定画面２００も、デジタルミキサ１０の操作パネルに設けたタッチスクリーンにユーザの操作に応じて表示させるＧＵＩである。そして、１つの入力ｃｈから１２系統の各ＭＩＸバスへの信号送出に関するパラメータの値の表示及び編集操作の受け付けを行うための画面である。
【００３８】
対象の１つの入力ｃｈは、ユーザの操作に応じて又は自動的に選択される任意のものであり、ｃｈ表示部２０１に表示される。
そして、送出設定画面２００には、ＭＩＸバス７０の各グループに対応するバスペア設定部２１０，２２０を設けている。符号２１０で示すのがモノラルのグループに対応するものであり、符号２２０で示すのがステレオのグループに対応するものであり、どちらもそのグループのバスへの信号送出に関するパラメータを扱う領域である。そして、上述のようにステレオとモノラルで設定すべきパラメータの数や種類が異なるため、画面の構成も異なっている。
【００３９】
まず、モノラルのバスペア設定部２１０は、グループ内の２本のバスの各々と対応するモノラルバス設定部２１１を設けている。そして、その各モノラルバス設定部２１１において、レベルつまみ２１２，ＰＲＥ／ＰＯＳＴボタン２１３及びオンボタン２１４により、各バスに対する送出経路におけるセンドレベルフェーダ５２（ａ，ｂ）のセンドレベルパラメータ（SL1，SL2）、ＰＲＥ／ＰＯＳＴスイッチ５１（ａ，ｂ）のプリパラメータ（PRE1，PRE2）、センドオンスイッチ５３（ａ，ｂ）のオンパラメータ（ON1，ON2）について、それぞれ値の表示及び編集操作の受け付けを行うことができる。」
【００４０】
また、ステレオのバスペア設定部２２０は、グループ内の２本のバスについて共通の設定部であり、パンつまみ２２１，レベルつまみ２２２、ＰＲＥ／ＰＯＳＴボタン２２３及びオンボタン２２４により、２本のバスに対する送出経路におけるパン５７のパンパラメータ（PAN）、センドレベルフェーダ５５のセンドレベルパラメータ（SLS）、ＰＲＥ／ＰＯＳＴスイッチ５４のプリパラメータ（PRES）、およびセンドオンスイッチ５６のオンパラメータ（ONS）について、それぞれ値の表示及び編集操作の受け付けを行うことができる。
【００４１】
次に、デジタルミキサ１０における、信号処理に使用するパラメータの記憶形式について説明する。
デジタルミキサ１０においては、上述のように、ＤＳＰ１８における信号処理に使用するパラメータの値を、カレントメモリに記憶させている。そこで、図６に、このカレントメモリに記憶させるデータの構成を示す。
【００４２】
図６に示すように、カレントメモリに記憶させるデータは、大きく分けて、入力パッチ３３の動作に関するパラメータである入力パッチパラメータ、入力ｃｈ４０の動作に関するパラメータである入力ｃｈパラメータ、ＳＴ出力ｃｈ８１及びＭＩＸ出力ｃｈ８２の動作に関するパラメータである出力ｃｈパラメータ、出力パッチ３４の動作に関するパラメータである出力パッチパラメータ、およびその他のパラメータである。
そしてこのうち、入力ｃｈパラメータ及び出力ｃｈパラメータの一部が、この実施形態の特徴に関連する部分であるので、これらについてより詳細に説明する。
【００４３】
まず、入力ｃｈパラメータとしては、２４ｃｈある入力ｃｈ４０のそれぞれについて、図３に示した各信号処理要素で用いるパラメータの値が記憶される。
この各ｃｈについてのパラメータには、アッテネータ４１での処理に用いるアッテネータパラメータ、イコライザ４２での処理に用いるイコライザパラメータ、コンプレッサ４３での処理に用いるコンプレッサパラメータ、ｃｈフェーダ４４での処理に用いるフェーダパラメータ、およびオンスイッチ４５での処理に用いるオンパラメータが含まれる。
また、ＳＴバスへの送出パラメータ（ＳＴバス送出パラメータ）には、ＴＯ＿ＳＴスイッチ４６のオンパラメータ、およびパン４７の音像定位位置の値を示すパンパラメータが含まれる。
【００４４】
さらに、各入力ｃｈについてのパラメータには、ＭＩＸバス７０への信号送出経路の処理において用いるＭＩＸバス送出パラメータも含まれる。このＭＩＸバスについての送出パラメータの記憶領域は、バスのグループ毎に用意されているが、実際に値が記憶されるパラメータの種類や内容は、上述の通りＭＩＸバスのタイプによって異なり、表１に示す通りである。
【００４５】
【表１】
2011024114.tif 000003
【００４６】
次に、出力ｃｈパラメータとしては、ＳＴ出力ｃｈ８１及び１２ｃｈあるＭＩＸ出力ｃｈ８２のぞれぞれについて、そのｃｈが備えるコンプレッサ、イコライザ、フェーダ等の各信号処理要素で用いるパラメータの値が記憶される。また、これに加え、各グループのＭＩＸバスのタイプを指定する情報であるＭＩＸバスタイプも、出力ｃｈパラメータの一部として記憶される。
【００４７】
また、デジタルミキサ１０においては、以上のカレントメモリの内容のうち、１ｃｈ分の入力ｃｈに関するパラメータの値のセットを、プリセットとしてプリセットライブラリに保存することができる。この保存は、ユーザによる入力ｃｈの番号及び保存先のプリセット番号を指定した保存指示に応じて行う。
【００４８】
また、保存したプリセットは、任意の入力ｃｈに関するパラメータの値として、カレントメモリに呼び出して、デジタルミキサ１０が実行する信号処理の内容に反映させることもできる。この呼出も、ユーザによる呼出元のプリセット番号及び呼出先の入力ｃｈの番号を指定した呼出指示に応じて行う。
そして、この実施形態の特徴の１つは、このプリセットの保存及び呼出時の動作である。そこで、以下、この点について説明する。
【００４９】
まず、図７に、このプリセットライブラリに記憶させるデータの構成を示す。
この図に示すように、デジタルミキサ１０において、プリセットライブラリには複数のプリセットを記憶させることが可能であり、プリセット数Ｎｐに応じたＮｐ個のプリセットを記憶させる領域を設けている。
【００５０】
そして、各プリセットの内容のうち、アッテネータパラメータからその他パラメータまでの内容は、図６に示したカレントメモリにおける１ｃｈ分の入力ｃｈに関するパラメータのデータ形式と、全く同じである。従って、ＭＩＸバス送出パラメータのデータ形式は、保存時点における各グループのＭＩＸバスのタイプに依存することになる。そこで、このデータ形式を容易に把握できるよう、ＭＩＸバスのタイプの情報も、保存時点の出力ｃｈパラメータからコピーして、プリセットの内容に含めるようにしている。
また、以上に加え、プリセットの識別を容易にするためのプリセット名称も、登録できるようにしている。
【００５１】
なお、以上のプリセットのデータのうち、呼出時にカレントメモリにコピーされるのは、入力ｃｈに関するパラメータである、アッテネータパラメータからその他パラメータまでの内容のみである。
また、図７に示したプリセットライブラリは、ＲＡＭ１３に設けて電源切断時に内容が消去されるようにしてもよいし、ＲＡＭ１３上で編集した内容をフラッシュメモリ１２に保存して電源切断後も内容を保持できるようにしてもよい。
【００５２】
次に、図８に、プリセットの保存指示があった場合にＣＰＵ１１が実行する処理のフローチャートを示す。
デジタルミキサ１０のＣＰＵ１１は、図示しないユーザインタフェースにより、ユーザによるｉ番目の入力ｃｈについてｐ番目のプリセットへの保存指示を検出すると、図８のフローチャートに示す指示を開始する。
【００５３】
そして、まずユーザが入力した又は自動的に設定したプリセット名称を、プリセットライブラリ中のｐ番目のプリセットの記憶領域に保存する（Ｓ１１）。次に、カレントメモリに記憶されている出力ｃｈパラメータ中の、各グループのＭＩＸバスのタイプの情報を、ｐ番目のプリセットの記憶領域に保存する（Ｓ１２）。
そして以下、カレントメモリに記憶されているｉ番目の入力ｃｈに関する各パラメータの値を、ｐ番目のプリセットの対応する記憶領域に保存して（Ｓ１３〜Ｓ１６）、処理を終了する。
【００５４】
以上の処理において、ＣＰＵ１１は保存手段として機能し、１つの入力ｃｈのパラメータ及び各ＭＩＸバスのタイプを、図７に示したプリセットとしてプリセットライブラリに保存することができる。
【００５５】
次に、図９に、プリセットの呼出指示があった場合にＣＰＵ１１が実行する処理のフローチャートを示す。
デジタルミキサ１０のＣＰＵ１１は、図示しないユーザインタフェースにより、ユーザによるｐ番目のプリセットをｉ番目の入力ｃｈに呼び出す呼出指示を検出すると、図９のフローチャートに示す指示を開始する。
【００５６】
そして、まずｐ番目のプリセットのアッテネータからＳＴバス送出パラメータまでの、ＭＩＸバスのタイプによらず構成が共通な部分のパラメータの値を、カレントメモリのｉ番目の入力ｃｈについてのパラメータの対応する記憶領域に書き込む（Ｓ２１，Ｓ２２）。
その後、変数ｎを１から６まで順次インクリメントしながら（Ｓ２３，Ｓ２８，Ｓ２９）、ステップＳ２４乃至Ｓ２７の、ＭＩＸバス送出パラメータの値の書き込みに関する処理を行う。
【００５７】
すなわち、まず呼び出しに係るｐ番目のプリセットとカレントメモリとで、第ｎグループのＭＩＸバスのタイプを比較する（Ｓ２４）。そして、これが一致していれば（Ｓ２５）、ｐ番目のプリセットとカレントメモリとで、第ｎグループのＭＩＸバスについての送出パラメータの形式が一致していることがわかるので、ｐ番目のプリセットにおける第ｎグループのＭＩＸバスについての送出パラメータの値を、そのままカレントメモリのｉ番目の入力ｃｈのパラメータについての対応する記憶領域に書き込む（Ｓ２６）。
【００５８】
一方、ステップＳ２５で一致していなかった場合には、ｐ番目のプリセットとカレントメモリとで、第ｎグループのＭＩＸバスについての送出パラメータの形式が異なるため、そのままでは適切に書き込みを行うことができない。そこで、ｐ番目のプリセットにおける第ｎグループのＭＩＸバスについての送出パラメータの値に、後述する所定の変換を施して、カレントメモリにおけるバスタイプと対応する形式のパラメータの値に変換し、その変換後の値を、カレントメモリのｉ番目の入力ｃｈのパラメータについての対応する記憶領域に書き込む（Ｓ２７）。
そして、ｎ＝１〜６の全てのグループについてこれらの処理が完了すると、ステップＳ２１，Ｓ２２と同様にその他パラメータの書き込みを行い（Ｓ３０）、処理を終了する。
【００５９】
以上の処理において、ＣＰＵ１１は呼出手段として機能し、プリセットライブラリに保存されているプリセットの内容を、任意の１つの入力ｃｈのパラメータとして呼び出すことができる。この場合において、プリセットの保存時と呼出時とでＭＩＸバスのタイプが異なる場合であっても、自動的にパラメータの形式を変換するため、ユーザはタイプの違いを全く意識する必要がない。
【００６０】
次に、このパラメータの形式の変換方法について説明する。
この変換方法は、呼出時にバスに設定されているタイプに応じた信号送出経路を用いても、タイプも含めた保存時の条件において各ＭＩＸバスに供給されていた信号になるべく近い信号を、各ＭＩＸバスに供給できるように、プリセットにおける各パラメータの値に基づいて、呼出時に設定されているバスのタイプに対応する各パラメータの値を求めるものである。
【００６１】
処理の具体的な内容は、保存時にモノラルであったものをステレオのパラメータに変換する処理と、保存時にステレオであったものをモノラルのパラメータに変換する処理とで異なるが、以下の表２に示すものである。この表には、変換の向き毎に、変換後の形式で必要なパラメータを左欄に、その値の算出方法を右欄に示した（パラメータの名称については前掲の表１を参照）。
【００６２】
【表２】
2011024114.tif 000004
【００６３】
以下、より具体的に各パラメータの値の算出方法について説明する。
まず、ステレオのパラメータをモノラルのパラメータに変換する場合には、センドレベルフェーダ５５によるレベル調整及びパン５７による分配後のレベルの信号が各バスに供給されるように、センドレベルフェーダ５２ａ及び５２ｂのゲインを調整する。そしてこのために、ステレオ用のセンドレベルフェーダ５５のゲインを、パン５７による左右の分配割合を示す調整値により調整して、Ｌ側のバス及びＲ側のバスと対応するセンドレベルフェーダのセンドレベルパラメータを求める。
【００６４】
ここで用いる調整値の定め方は、種々のものが考えられるが、例えば特許第３２６６０４５号公報に見られるように、音像定位位置の位置定数をｘ（ただしｘ＝０のときＬ１００％、ｘ＝π／２のとき中央、ｘ＝πのときＲ１００％）として、Ｌ側の調整値ΔＬ１及びＲ側の調整値ΔＬ２は、それぞれ以下の式１，２により求めることができる。
ΔＬ１＝ｃｏｓ（ｘ／２）・・・（式１）
ΔＬ２＝ｓｉｎ（ｘ／２）・・・（式２）
ただし、上式で求まる調整値は、センドレベルフェーダ５５によるゲイン調整後の信号のレベルと、センドレベルフェーダ５２ａ及び５２ｂによるゲイン調整後の信号のレベルの比を示す、リニア表現の調整値である。
【００６５】
そこで、図１０に、デシベル換算した調整値ΔＬ１及びΔＬ２とパンのパラメータ値との関係を求めたグラフを示す。パラメータの設定可能範囲を考慮して、調整値の最小値は−５０デシベルとした。実際には、パンの各パラメータ値と対応する調整値ΔＬ１（ＰＡＮ）及びΔＬ２（ＰＡＮ）の値を換算テーブルに記憶させておけばよい。
【００６６】
そして、パラメータ値がデシベル表現の場合、表１に示すように、フェーダ５５のセンドレベルパラメータＳＬＳに、これらの調整値を加算（リニア表現での乗算に相当）することにより、センドレベルフェーダ５２ａ，５２ｂにそれぞれ設定すべきセンドレベルパラメータを求めることができる。
また、ＰＲＥ／ＰＯＳＴスイッチ５１ａ，５１ｂの状態及びオンスイッチ５２ａ，５２ｂの状態については、ステレオ用のＰＲＥ／ＰＯＳＴスイッチ５４及びオンスイッチ５６の状態をそのまま採用すればよい。
【００６７】
一方、モノラルのパラメータをステレオのパラメータに変換する場合にも、なるべく、パン５７による分配後の信号が、モノラルの状態で各バスに供給されていた信号と一致するように、センドレベルフェーダ５５のゲイン及びパン５７の音像定位位置を定める。すなわち、上述のＳＬＳ→ＳＬ１，ＳＬ２と逆の変換を行う。
【００６８】
ここで、上記式１，２より、
ｔａｎ（ｘ／２）＝ΔＬ２／ΔＬ１  であるので、
ｘ＝２×ｔａｎ−１（ΔＬ２／ΔＬ１）・・・（式３）  となる。
そして、ΔＬ２／ΔＬ１は、１系統の信号をＬとＲに分配した場合のＬとＲの音量比を示すので、式３から、ＬとＲの音量比に基づいて音像定位位置を求めることができることがわかる。
【００６９】
図１１に、式３に基づき、２本のバスの各々と対応するセンドレベルの比とパンパラメータ（PAN）との関係を求めたグラフを示す。ただし、実際のセンドレベルパラメータ（SL1，SL2）はデシベル表現なので、ここでの横軸はリニアではなくデシベルとしてある。その場合のセンドレベルの比は、ＳＬ２とＳＬ１の差である。
実際には、センドレベルパラメータの差の値の各階級と対応するパンのパラメータの値を換算テーブルに記憶させておき、ＳＬ２−ＳＬ１の値に基づいてこのテーブルを検索して、パンのパラメータＰＡＮの値を求めることができる。
【００７０】
また、この変換の場合でも、ステレオからモノラルへの変換の場合と同様、
ＳＬ１＝ＳＬＳ＋ΔＬ１（ＰＡＮ）及び
ＳＬ２＝ＳＬＳ＋ΔＬ２（ＰＡＮ）
の関係は成り立つ。従って、ＰＡＮの値が定まれば、
ＳＬＳ＝ＳＬ１−ΔＬ１（ＰＡＮ）又は
ＳＬＳ＝ＳＬ２−ΔＬ２（ＰＡＮ）
により、モノラルのいずれか一方のバスのセンドレベルの値と、上で求めたパンパラメータの値とに基づいて、ステレオのセンドレベル値を求めることができる。
ここでは、この２式のうちの、ＳＬ１とＳＬ２のうちのレベルが大きいほうを使用する式を採用するとよい。デシベル表現の場合、そうしたほうが求められるセンドレベルパラメータ（SLS）の誤差を小さくできる。
【００７１】
また、ＰＲＥ／ＰＯＳＴスイッチ５４及びオンスイッチ５６の状態については、モノラルで２本のバスと対応するＰＲＥ／ＰＯＳＴスイッチ５１ａ，５１ｂの状態及びオンスイッチ５２ａ，５２ｂの状態が一致していれば、その状態をそのまま採用すればよい。
【００７２】
一方、モノラルでバス毎に状態が異なる場合には、ステレオ用の送出経路を用いて、モノラルのパラメータが示す信号と全く同じ信号を各バスに供給するような設定はできない。しかしここでは、プリセットの設定内容に基づきつつも、意図しない大レベルの信号が出力されないように、ＰＲＥ／ＰＯＳＴスイッチ５４については、モノラルで２本ともＰＲＥであればＰＲＥ、それ以外はＰＯＳＴとし、オンスイッチ５６については、モノラルで２本ともＯＮであればＯＮ、それ以外はＯＦＦとしている。
【００７３】
デジタルミキサ１０においては、図９のステップＳ２７において以上のような変換処理を行うことにより、プリセットの保存時と呼出時でバスのタイプが異なる場合でも、プリセットの設定内容を最大限活かしつつ、呼出時の条件で使用可能な形でプリセットを呼び出すことができる。
【００７４】
以上で実施形態の説明を終了するが、装置の構成や具体的な処理内容、画面の表示例、操作方法、パラメータの構成や変換方法等が上述の実施形態で説明したものに限られないことはもちろんである。
例えば、上述した実施形態では、センドレベルフェーダのセンドレベルパラメータがデジベル表現である例について説明したが、リニア表現であっても当然問題ない。
【００７５】
この場合、図１２に示すように、各ＰＡＮの値に対応するΔＬ１とΔＬ２についても、リニアの値を用意しておき、
ＳＬ１＝ＳＬＳ×ΔＬ１（ＰＡＮ）及び
ＳＬ２＝ＳＬＳ×ΔＬ２（ＰＡＮ）
のように、フェーダ５５のセンドレベルパラメータＳＬＳに、これらの調整値を加算することにより、センドレベルフェーダ５２ａ，５２ｂにそれぞれ設定すべきセンドレベルパラメータの値を求めることができる。
図１１と対応する図については図示を省略するが、横軸をＳＬ２／ＳＬ１として、同様な換算テーブルを作成及び利用可能である。
【００７６】
また、モノラルのパラメータをステレオのパラメータに変換する場合の、ＰＲＥ／ＰＯＳＴスイッチ５４及びオンスイッチ５６の状態については、表２に示したものの他、モノラルの２本のバスのうち任意の一方、例えばバス番号の小さい方に関する設定を、そのまま引き継ぐことも考えられる。
【００７７】
また、上述の実施形態では、ＭＩＸバス７０が６グループ１２系統ある例について説明したが、最低限１グループ２系統のＭＩＸバスを備えるデジタルミキサ１０について、この発明を適用することができる。また、一部のバスについてのみ図９のようなパラメータ変換の処理を適用し、他のバスについては、プリセットの保存時と呼出時でタイプが異なるものがあった場合にエラーとして呼び出しを中止したり、タイプの異なる部分は呼び出しを行わなかったりといった対応をすることも考えられる。
【００７８】
また、デジタルミキサ１０は、専用ハードウェアによるだけでなく、ＰＣ上で動作させるＤＡＷ（デジタルオーディオワークステーション）アプリケーションの機能としても、実現することができる。
また、以上述べてきた構成及び変形例は、矛盾しない範囲で適宜組み合わせて適用することも可能である。
【産業上の利用可能性】
【００７９】
以上の説明から明らかなように、この発明のデジタルミキサによれば、ミキシングバスのペアについて、モノラルとステレオのタイプを設定可能とし、かつ、入力ｃｈ１ｃｈ分のパラメータの保存と呼出を可能とする場合において、保存時と呼出時でミキシングバスのタイプが異なる場合でも、入力ｃｈからミキシングバスへの信号送出に関するパラメータの値を、適切に呼び出せるようにすることができる。
従って、この発明を適用することにより、デジタルミキサの操作性を向上させることができる。
【符号の説明】
【００８０】
１０…デジタルミキサ、１１…ＣＰＵ、１２…フラッシュメモリ、１３…ＲＡＭ、１４…外部機器Ｉ／Ｏ、１５…表示器、１６…操作子、１７…波形Ｉ／Ｏ、１８…ＤＳＰ、１９…システムバス、４０…入力ｃｈ、４４…ｃｈフェーダ、４５…オンスイッチ、４６…ＴＯ＿ＳＴスイッチ、４７，５７…パン、５１ａ，５１ｂ，５４…ＰＲＥ／ＰＯＳＴスイッチ、５２ａ，５２ｂ，５５…センドレベルフェーダ、５３ａ，５３ｂ，５６…センドオンスイッチ、６０…ＳＴバス、７０…ＭＩＸバス、８１…ＳＴ出力ｃｈ、８２…ＭＩＸ出力ｃｈ
【図１】
2011024114.tif 000005
【図２】
2011024114.tif 000006
【図３】
2011024114.tif 000007
【図４】
2011024114.tif 000008
【図５】
2011024114.tif 000009
【図６】
2011024114.tif 000010
【図７】
2011024114.tif 000011
【図８】
2011024114.tif 000012
【図９】
2011024114.tif 000013
【図１０】
2011024114.tif 000014
【図１１】
2011024114.tif 000015
【図１２】
2011024114.tif 000016